(57)【特許請求の範囲】
【請求項１】
光源を含む灯具と；
上記光源に給電する点灯回路を含む器具本体と；
上記器具本体をライティングダクトに着脱可能に取り付けるとともに上記点灯回路を上記ライティングダクトに電気的に接続する接続部材と；
上記接続部材と反対側の上記器具本体の端部に隙間を介して上記灯具を連結し、上記灯具を上記器具本体に対して回動可能に支持した連結部材と；を有し、
上記接続部材、上記器具本体、および上記灯具は、上記接続部材の中心、上記器具本体の中心、および上記灯具の中心を一直線に配置可能な構造を有し、
上記連結部材は、上記接続部材の中心、上記器具本体の中心、および上記灯具の中心を通る中心軸に対して偏心して該中心軸と平行に設けられた軸を中心に上記灯具を上記器具本体に対して回動可能に支持する、
照明器具。
【請求項２】
上記連結部材は、上記隙間に配置される、
請求項１の照明器具。
【請求項３】
上記器具本体の上記ライティングダクトに沿った幅は、上記灯具の上記ライティングダクトに沿った幅と同じ、もしくは上記灯具の上記ライティングダクトに沿った幅より小さい、
請求項１の照明器具。
【発明の詳細な説明】
【技術分野】
【０００１】
本発明の実施形態は、例えば、ライティングダクトに取り付けられるスポットライトなどの照明器具に関する。
【背景技術】
【０００２】
ライティングダクトは、通常、部屋の天井に取り付けられる。スポットライトは、ライティングダクトに沿って任意の位置に取り付けでき、照明光を所望する角度に調整できる。例えば、この種のスポットライトとして、点灯装置を収容してライティングダクトに取り付け可能なケース、ＬＥＤ光源を備えた灯具、およびダクトに沿ったケースの一端から灯具を垂設したアームを備えたスポットライトが知られている。
【先行技術文献】
【特許文献】
【０００３】
【特許文献１】特開２０１２−４８９７９号公報
【発明の概要】
【発明が解決しようとする課題】
【０００４】
上述した従来の照明器具は、ダクトに沿って幅広のケースを有するため、複数の照明器具をダクトに沿って近接して取り付けできない。
【０００５】
また、上述した従来の照明器具は、ダクトから取り外して保管する場合や出荷時において、コンパクトにまとめることが難しく、比較的大きな収納スペースが必要となり、管理コストが高くなる。
【０００６】
さらに、上述した従来の照明器具は、ケースと灯具を接続したアームや配線が外部に露出しており、美観が悪く意匠性に欠ける。
【０００７】
よって、複数台の器具を互いに近接して配置可能で、収納スペースを小さくでき、意匠性に優れた照明器具の開発が望まれている。
【課題を解決するための手段】
【０００８】
実施形態に係る照明器具は、光源を含む灯具と；光源に給電する点灯回路を含む器具本体と；器具本体をライティングダクトに着脱可能に取り付けるとともに点灯回路をライティングダクトに電気的に接続する接続部材と；接続部材と反対側の器具本体の端部に隙間を介して灯具を連結し、灯具を器具本体に対して回動可能に支持した連結部材と；を有する。接続部材、器具本体、および灯具は、接続部材の中心、器具本体の中心、および灯具の中心を一直線に配置可能な構造を有する。連結部材は、接続部材の中心、器具本体の中心、および灯具の中心を通る中心軸に対して偏心して該中心軸と平行に設けられた軸を中心に灯具を器具本体に対して回動可能に支持する。
【発明の効果】
【０００９】
本発明の照明器具によれば、複数台の照明器具を互いに近接して配置可能で、収納スペースを小さくでき、意匠性を向上させることができる。
【図面の簡単な説明】
【００１０】
【図１】図１は、実施形態に係る照明器具を示す斜視図である。
【図２】図２は、図１の照明器具の灯具を電源ケースに対して９０°折り曲げた状態を示す正面図である。
【図３】図３は、図１の照明器具のアームを備えた電源ケースを灯具側から見た斜視図である。
【図４】図４は、図１の照明器具のアームを示す斜視図である。
【図５】図５は、図４のアームの取付位置について説明するため電源ケースおよび灯具の一部を破断した概略図である。
【発明を実施するための形態】
【００１１】
以下、図面を参照しながら実施形態について詳細に説明する。  
図１は、照明器具の一例であるスポットライト１００の外観斜視図である。図２は、スポットライト１００の電源ケース２（器具本体）に対して灯具４を９０°回動させた状態を示す正面図である。
【００１２】
このスポットライト１００は、灯具４を電源ケース２に対して同軸に配置した図１に示す状態で、略円柱状の外観を有する。スポットライト１００は、それぞれ円柱状の外観を有する電源ケース２と灯具４を有する。スポットライト１００は、電源ケース２の下方にアーム３（連結部材）を介して灯具４を同軸に連結した構造を有し、灯具４を電源ケース２に対して回動可能としている。本実施形態では、電源ケース２の外径と灯具４の外径を同じ外径に設計した。
【００１３】
また、スポットライト１００は、電源ケース２の中心軸Ｃ１（図２参照）に沿った一端（図示上端）を図示しないライティングダクトに着脱可能に取り付けるためのプラグ１（接続部材）を有する。プラグ１は、周知技術であるため、ここではその詳細な説明を省略する。プラグ１は、スポットライト１００をライティングダクトに対して機械的および電気的に接続する。
【００１４】
一般に、ライティングダクトは、部屋の天井に取り付けられる。或いは、稀に、ライティングダクトは、部屋の壁に取り付けられる。以下の説明では、ライティングダクトを部屋の天井に取り付けたものとする。つまり、ここでは、スポットライト１００は、プラグ１をライティングダクトに取り付けた状態で、部屋の天井から下方に垂設されるものとする。この場合、スポットライト１００の中心軸Ｃ（すなわち、電源ケース２の中心軸Ｃ１）が鉛直方向に沿うことになる。
【００１５】
さらに、スポットライト１００は、灯具４を電源ケース２に対して回動可能に連結したアーム３を有する。図３は、アーム３を備えた電源ケース２を灯具４側から見た斜視図であり、図４は、アーム３の拡大図である。
【００１６】
アーム３の電源ケース２側の一端は、図３に示すように、電源ケース２の中心軸Ｃ１と平行な軸Ｃ３を中心に灯具４を回動させることができるように、電源ケース２の底壁２ａに取り付けられている。アーム３の灯具４側の他端は、電源ケース２の中心軸Ｃ１と直交する軸Ｃ４を中心に灯具４を回動させることができるように、灯具４の放熱フィン５に取り付けられている（図１参照）。つまり、このアーム３は、電源ケース２に対して灯具４をあらゆる方向に自由に回動可能に連結する。
【００１７】
以下、スポットライト１００の各部の構造および機能についてより詳細に説明する。
【００１８】
プラグ１は、ライティングダクトの図示しない溝に嵌め込まれて、電源ケース２の中心軸Ｃ１を中心に略９０°回動され、電源ケース２をライティングダクトに取り付ける。プラグ１をライティングダクトから取り外す際には、電源ケース２を逆方向に回動させる。プラグ１は、電源ケース２（すなわち、スポットライト１００）をライティングダクトに対して機械的に連結するとともに、電源ケース２内に配設された図示しない点灯回路をライティングダクトに電気的に接続する。プラグ１のケースは樹脂製である。
【００１９】
電源ケース２は、中心軸Ｃ１に沿った一端にプラグ１を備えているとともに、中心軸Ｃ１に沿った他端に円板状の底壁２ａを備えている。電源ケース２の内部には、上述した図示しない点灯回路の他に、外部機器との間で無線通信を行うための図示しない無線モジュールなどが設けられている。電源ケース２は、アルミニウムやアルミニウム合金などの金属により形成されている。
【００２０】
底壁２ａは、アーム３の後述する円形の回動板３１ａを回動可能に受け入れる円形の貫通した遊嵌孔２ｂを備えている。遊嵌孔２ｂは、底壁２ａの中心から偏心した位置に設けられている。つまり、アーム３は、図３に示すように、電源ケース２の中心軸Ｃ１に対して偏心した位置に取り付けられる。見方を変えると、アーム３は、灯具４の中心軸Ｃ２に対しても偏心した位置に取り付けられる。
【００２１】
灯具４は、図示しないＬＥＤ光源を実装した基板、レンズ、配光部材などを内蔵している。灯具４の電源ケース２から離間した端部（図示下端）には、光源から発光されてレンズおよび配光部材を介して伝えられた照明光を射出するための図示しない発光窓が設けられている。灯具４の筐体は、アルミニウムやアルミニウム合金などの金属により形成されている。
【００２２】
また、灯具４は、複数枚の板状の放熱フィン５を備えている。複数の放熱フィン５は、灯具４の筐体と一体に設けられる。複数の放熱フィン５は、灯具４の発光窓と反対の電源ケース２側に設けられ、灯具４の中心軸Ｃ２に沿って互いに平行に延出している。そして、複数の放熱フィン５のうち、フィンの並び方向の両端以外の内側の放熱フィン５の１つにアーム３の他端が固定される。
【００２３】
図３および図４に示すように、アーム３は、電源ケース２側に取り付ける連結片３１、および灯具４側に取り付ける固定ブロック３２を有する。アーム３は、アルミニウムやアルミニウム合金などの金属により形成されている。固定ブロック３２は、軸Ｃ４を中心に連結片３１に対して第１回動方向に回動可能に連結される。
【００２４】
連結片３１は、上述した回動板３１ａ、円筒部分３１ｂ、および板状部分３１ｃを一体に有する。円筒部分３１ｂは、回動板３１ａの軸Ｃ３に沿った一端側に同軸且つ一体に設けられている。板状部分３１ｃは、回動板３１ａの軸Ｃ３に沿った他端側に一体に設けられている。図３に示す状態で、円筒部分３１ｂは、電源ケース２の内部に配置される。
【００２５】
板状部分３１ｃは、回動板３１ａの中心軸Ｃ３から偏心して設けられている。このため、円筒部分３１ｂの貫通孔３１ｄの灯具４側の端部は、板状部分３１ｃに干渉しない位置で開口している。この貫通孔３１ｄには、電源ケース２内に配置した点灯回路と灯具４内に配置した光源基板をつなぐ図示しない配線が挿通配置される。
【００２６】
板状部分３１ｃの灯具４側の端部には、図示しない回動軸を挿通するための軸孔３１ｅが設けられている。この軸孔３１ｅは、板状部分３１ｃを貫通して軸Ｃ４方向に延びている。つまり、この軸孔３１ｅは、回動板３１ａの中心軸Ｃ３と直交する方向に板状部分３１ｃを貫通している。
【００２７】
固定ブロック３２は、上述した連結片３１の板状部分３１ｃの軸Ｃ３側の面に重ねて配置される。つまり、固定ブロック３２は、板状部分３１ｃが回動板３１ａの中心軸Ｃ３に対して偏心した側と反対の面に重ねて配置される。
【００２８】
固定ブロック３２は、板状部分３１ｃと重なる中央部分３２ａおよび中央部分３２ａを間に挟んだ両側にある２つの固定部分３２ｂ、３２ｂを一体に有する。つまり、固定ブロック３２は、連結片３１の板状部分３１ｃの長手方向と交差する方向にクロスして延びている。
【００２９】
固定ブロック３２の中央部分３２ａは、板状部分３１ｃの軸孔３１ｅに同軸に重なる軸孔３２ｃを有する。また中央部分３２ａは、この軸孔３２ｃに連通する凹所３２ｄを有する。凹所３２ｄは、板状部分３１ｃから離間した側に設けられている。さらに、中央部分３２ａは、固定ブロック３２を放熱フィン５の取付凹所５ａ（図５参照）に対して位置決めするためのＶ字面３２ｅを有する。
【００３０】
中央部分３２ａを挟む２つの固定部分３２ｂ、３２ｂは、中央部分３２ａに対して対称な構造を有する。各固定部分３２ｂは、固定ブロック３２を放熱フィン５の取付凹所５ａに固定するためのネジ（図示せず）を挿通するためのネジ孔３２ｆ（図５参照）をそれぞれ有する。各ネジ孔３２ｆは、軸Ｃ３と平行な方向に延びている。
【００３１】
図５は、アーム３の取付方法および取付位置について説明するため、電源ケース２および灯具４の一部を破断した概略図である。まず、アーム３の取付方法について説明する。
【００３２】
アーム３の上端を電源ケース２に取り付ける場合、連結片３１の円筒部分３１ｂを底壁２ａの遊嵌孔２ｂに通して回動板３１ａを遊嵌孔２ｂに嵌合する。この後、連結片３１の円筒部分３１ｂに抜け止めリング３３を取り付ける。これにより、連結片３１の底壁２ａに対する脱落が防止される。遊嵌孔２ｂは回動板３１ａよりわずかに大きな径を有するため、回動板３１ａが遊嵌孔２ｂに対して回動可能となる。
【００３３】
上記のように底壁２ａの遊嵌孔２ｂに連結片３１を取り付けた後、底壁２ａを電源ケース２の他端に取り付ける。なお、連結片３１の他端には、予め固定ブロック３２を取り付けておく。この際、連結片３１の板状部分３１ｃの軸孔３１ｅと固定ブロック３２の軸孔３２ｃを同軸に重ね、これら２つの重ねられた軸孔３１ｅ、３２ｃに図示しない回動軸を挿通して取り付ける。回動軸は、連結片３１に対して固定ブロック３２を回動可能に接続する。
【００３４】
そして、アーム３の他端を灯具４に取り付ける場合、連結片３１の板状部分３１ｃに対して回動可能に連結された固定ブロック３２を放熱フィン５の取付凹所５ａに嵌合する。このとき、固定ブロック３２の中央部分３２ａの下面側に設けたＶ字面３２ｅを取付凹所５ａのＶ字溝５ｂに嵌合し、固定ブロック３２を取付凹所５ａに位置決めする。さらに、固定ブロック３２の各固定部分３２ｂに設けたネジ孔３２ｆに図示しないネジを挿通し、取付凹所５ａの底に設けたネジ孔５ｃに螺合する。
【００３５】
次に、アームの取付位置について説明する。  
本実施形態のように、円柱状の電源ケース２の下方に隙間Ｓを介して円柱状の灯具４を取り付けて、灯具４を電源ケース２に対して回動可能とする場合、仮に、アーム３をスポットライト１００の中心軸Ｃ上に配置してしまうと、隙間Ｓを比較的大きくとる必要がある。具体的には、アーム３を中心軸Ｃ上に設けて灯具４を電源ケース２に対して９０°回動させるためには、少なくとも、隙間Ｓの大きさをスポットライト１００の半径より大きくする必要があり、外観が悪くなる。
【００３６】
このため、本実施形態では、隙間Ｓを小さくして外観を良くするため、スポットライト１００の中心軸Ｃから偏心した位置にアーム３を設けた。アーム３を隙間Ｓに配置することで、スポットライト１００の外側からアーム３を見え難くすることができ、外観を良くすることができる。
【００３７】
なお、本実施形態では、アーム３の板状部分３１ｃを回動板３１ａに対して偏心して設け、且つ円筒部分３１ｂの開口側で固定ブロック３２を板状部分３１ｃに重ねている。このため、円筒部分３１ｂの貫通孔３１ｄを通る図示しない配線が固定ブロック３２の凹所３２ｄ内を通り、配線をスポットライト１００の外側から見え難くすることができる。
【００３８】
理想的には、アーム３をスポットライト１００の外周面の近くに配置することで、隙間Ｓを殆どゼロにすることができる。しかし、本実施形態のように、灯具４の放熱フィン５にアーム３を取り付けるためには、灯具４の外周面から中心軸Ｃに向けて内側に離間した位置にアーム３の回動軸Ｃ４を設ける必要がある。つまり、上記のように回動軸Ｃ４の両側で２本のネジを用いて固定ブロック３２を放熱フィン５に固定する構成で、十分な機械強度を確保するためには、回動軸Ｃ４を灯具４の外周面から内側に所定距離だけ離間した位置にレイアウトする必要がある。
【００３９】
十分な機械強度を確保できる、灯具４の外周面から回動軸Ｃ４までの距離をＤ１とした場合、回動軸Ｃ４から固定ブロック３２の外周面側の上端角部３２ｇまでの距離Ｄ２はＤ１より大きくなる。灯具４を回動させる場合、固定ブロック３２の上端角部３２ｇが電源ケース２に対して最も干渉し易いことから、この距離Ｄ２が、回動軸Ｃ４から電源ケース２の下端（底壁２ａ）までの距離Ｄ３より少なくとも小さければ良いことになる。つまり、Ｄ１＜Ｄ２＜Ｄ３の関係が成り立つ最少の隙間Ｓに設定することで、スポットライト１００の外観を良くすることができ、意匠性を高めることができる。
【００４０】
以上のように、本実施形態によると、プラグ１および電源ケース２の中心軸Ｃ１と灯具４の中心軸Ｃ２を一直線に重ねた図１の状態で、プラグ１の中心、電源ケース２の中心、および灯具４の中心がスポットライト１００の中心軸Ｃ上に配置される。例えば、この状態で複数台のスポットライト１００をライティングダクトに沿って近接して取り付けた場合、隣り合うスポットライト１００の外周面同士が接触する距離まで灯具同士を近付けることができる。
【００４１】
これに対し、例えば、ライティングダクトに沿った灯具の幅より電源ケースの幅が大きな従来の器具を互いに近接して取り付けようとした場合、電源ケース同士を接触させても、灯具同士の間に隙間が開いてそれ以上近接配置することができない。
【００４２】
また、上述した実施形態では、電源ケース２の外径と灯具４の外径を同じに設計した場合について説明したが、電源ケース２の外径は灯具４の外径より小さくても良い。この場合、２台の隣接するスポットライト１００の電源ケース２同士を接触させた状態で、それぞれの灯具４を互いに反対方向に回動させれば良く、灯具４同士の干渉を避けることができる。
【００４３】
さらに、上述した実施形態では、電源ケース２および灯具４を円柱状に構成したが、電源ケース２および／或いは灯具４の外形は、円柱状に限らない。電源ケース２の中心と灯具４の中心を中心軸Ｃ上に一直線に配置したとき、電源ケース２の幅が灯具４の幅と同等或いはそれより小さければ良い。例えば、電源ケース２および灯具４の断面形状は、楕円形、長円形、正方形、長方形、ひし形、台形、星形など、いかなる形状であっても良い。
【００４４】
また、本実施形態によると、スポットライト１００をライティングダクトから取り外した状態で、或いはスポットライト１００の出荷時において、電源ケース２と灯具４を図１に示す状態にして複数台のスポットライト１００を並べて図示しないケースなどに収容することができる。このため、本実施形態によると、スポットライト１００を保管する収納スペースを小さくでき、スポットライト１００の保管管理にかかる費用を少なくできる。
【００４５】
また、本実施形態によると、電源ケース２と灯具４との間の隙間Ｓに、アーム３を偏心させて配置したため、狭い隙間Ｓにアーム３を配置することができ、アーム３や配線が外側から見難く、スポットライト１００の外観を良くすることができ、意匠性を高めることができる。
【００４６】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
以下、本願の出願当初の特許請求の範囲に記載された発明を付記する。
［１］
光源を含む灯具と；
上記光源に給電する点灯回路を含む器具本体と；
上記器具本体をライティングダクトに着脱可能に取り付けるとともに上記点灯回路を上記ライティングダクトに電気的に接続する接続部材と；
上記接続部材と反対側の上記器具本体の端部に隙間を介して上記灯具を連結し、上記灯具を上記器具本体に対して回動可能に支持した連結部材と；を有し、
上記接続部材、器具本体、および灯具は、上記接続部材の中心、上記器具本体の中心、および上記灯具の中心を一直線に配置可能な構造を有する、
照明器具。
［２］
上記連結部材は、上記隙間に配置される、
［１］の照明器具。
［３］
上記連結部材は、上記接続部材の中心、上記器具本体の中心、および上記灯具の中心を通る軸に対して偏心して設けられている、
［２］の照明器具。
［４］
上記器具本体の上記ライティングダクトに沿った幅は、上記灯具の上記ライティングダクトに沿った幅と同じ、もしくは上記灯具の上記ライティングダクトに沿った幅より小さい、
［１］の照明器具。
【符号の説明】
【００４７】
１…プラグ、２…電源ケース、２ａ…底壁、２ｂ…遊嵌孔、３…アーム、４…灯具、５…放熱フィン、５ａ…取付凹所、５ｂ…Ｖ字溝、３１…連結片、３１ｅ…軸孔、３２…固定ブロック、３２ｃ…軸孔、３２ｄ…凹所、３２ｅ…Ｖ字面、３２ｆ…ネジ孔、１００…スポットライト。
【図１】
0006540390.tif 000002
【図２】
0006540390.tif 000003
【図３】
0006540390.tif 000004
【図４】
0006540390.tif 000005
【図５】
0006540390.tif 000006